(57)【要約】【課題】親機を携帯電話機とした場合の親子電話システムにおける操作性の向上を図ることにある。【解決手段】本発明の携帯電話機は、一般公衆網を使用して他の通信機と通信を行うための第１通信部１０１と、上記第１通信部１０１を用いた通信に関する履歴を示す履歴データを生成し、生成した履歴データを履歴データ記憶部１０４Ａに記憶させる履歴データ生成部１２と、上記一般公衆網を使用した通信方式とは異なる通信方式を使用して子機との通信を行うための第２通信部１０２と、上記第２通信部１０２と上記通信端末との通信が確立された状態で、該子機から送信された通信制御データに基づいて、上記第１通信部１０１に一般公衆網を使用した通信を実行させる第１通信制御部１１とを備えている。【選択図】図２
2009089024.tif 000002
【特許請求の範囲】
【請求項１】
一般公衆網を使用して他の通信機と通信を行うための第１通信部と、
上記第１通信部を用いた通信に関する履歴を示す履歴データを生成し、生成した履歴データを履歴データ記憶部に記憶させる履歴データ生成手段と、
上記一般公衆網を使用した通信方式とは異なる通信方式を使用して通信端末との通信を行うための第２通信部と、
上記第２通信部と上記通信端末との通信が確立された状態で、該通信端末から送信された通信制御データに基づいて、上記第１通信部に一般公衆網を使用した通信を実行させる第１通信部制御手段とを備えていることを特徴とする携帯電話機。
【請求項２】
上記第１通信制御手段は、
上記第２通信部と通信端末との通信が確立された状態で、該通信端末から送信された通信制御データに基づいて、上記第１通信部に一般公衆網を使用した通信を実行させているときに、上記履歴データ生成手段によって生成された履歴データを当該通信端末に送信するように上記第２通信部を制御することを特徴とする請求項１に記載の携帯電話機。
【請求項３】
上記第１通信制御手段は、
上記第２通信部と通信が確立された通信端末から該通信端末の通信の履歴データを、当該通信端末を識別する識別データと関連付けて取得し、上記履歴データ記憶部に記憶させ、取得した情報を通知する手段を持つ事を特徴とする請求項２に記載の携帯電話機。
【請求項４】
上記第１通信制御手段は、
上記履歴データ記憶部に記憶された履歴データを、上記識別データに基づいて分類することを特徴とする請求項３に記載の携帯電話機。
【請求項５】
上記第１通信制御手段は、
上記履歴データ記憶部に記憶された履歴データに含まれる接続先情報を用いて、上記第１通信部に、上記一般公衆網を使用して通信機との通信を行わせることを特徴とする請求項３または４に記載の携帯電話機。
【請求項６】
上記第１通信部によって上記履歴データ及び該履歴データと関連付ける識別データを取得したことを報知する報知手段をさらに備えていることを特徴とする請求項３から５の何れか１項に記載の携帯電話機。
【請求項７】
マナーモード機能を備えているとき、
上記第１通信制御手段は、マナーモードが設定されている状態で、予め設定された設定時刻以降に所定の動作が行われたとき、マナーモードを解除することを特徴とする請求項１〜６に記載の携帯電話機。
【請求項８】
携帯電話機と、一般公衆網を使用した通信方式以外の通信方式で通信を行うための第３通信部と、
上記一般公衆網を使用して通信機と通信を行わせるための通信制御データを生成する通信制御データ生成手段と、
上記第３通信部と上記携帯電話機との通信が確立された状態で、該携帯電話機に対して、上記通信制御データ生成手段によって生成された通信制御データを上記第３通信部によって送信させる第２通信制御手段とを有することを特徴とする通信端末。
【請求項９】
上記通信制御データに基づいて、上記一般公衆網を使用して通信機と通信を行った携帯電話機が作成した通信の履歴を示す履歴データを上記第３通信部を介して取得し、履歴データ記憶部に記憶させる履歴データ取得手段をさらに備えていることを特徴とする請求項８に記載の通信端末。
【請求項１０】
上記第２通信制御手段は、
上記履歴データ取得手段によって取得された履歴データを、携帯電話機に対して、当該通信端末を識別する識別データを含めて送信するように、上記第３通信部を制御することを特徴とする請求項９に記載の通信端末。
【請求項１１】
上記履歴データ及び識別データの送信先である携帯電話機を選択するための選択手段を備え、
上記第２通信制御手段は、
上記選択手段によって選択された携帯電話機に対して、上記履歴データ及び識別データを送信するように、上記第３通信部を制御することを特徴とする請求項９に記載の通信端末。
【請求項１２】
送信先の携帯電話毎にパスワードが設定されおり、
上記第２通信制御手段は、
上記第３通信部によって、履歴データ及び識別データを送信する際に、上記選択手段によって選択された携帯電話機に対するパスワードの入力を要求し、入力されたパスワードに対応する携帯電話機に対応して、上記履歴データ及び識別データを上記第３通信部によって送信させることを特徴とする請求項１１に記載の通信端末。
【請求項１３】
送信先の携帯電話機毎に特定の番号が付与されており、
上記第２通信制御手段は、
上記第３通信部によって、履歴データ及び識別データを送信する際に、上記特定の番号の入力を要求し、入力された特定の番号に対応する携帯電話機に対して、上記履歴データ取得手段によって取得された履歴データを送信するように、上記第３通信部を制御することを特徴とする請求項９に記載の通信端末。
【請求項１４】
上記第３通信部と通信を確立する通信先の携帯電話機を選択するための通信先選択手段を備え、
上記通信制御データ生成手段は、
上記通信先選択手段によって選択された携帯電話機が上記一般公衆網を使用して通信機と通信を行うための通信制御データを生成することを特徴とする請求項８に記載の通信端末。
【請求項１５】
上記第２通信制御手段は、
上記第３通信部と、予め設定された携帯電話機との通信を確立させることを特徴とする請求項８に記載の通信端末。
【請求項１６】
選択可能な携帯電話機に対して、選択の優先順位が付与された優先順位テーブルを備え、
上記第２通信制御手段は、
上記第３通信部と、上記優先順位テーブルに従って選択された携帯電話機との通信を確立させることを特徴とする請求項８に記載の通信端末。
【請求項１７】
上記優先順位テーブルには、携帯電話機の料金体系を示す情報が格納され、料金の安い順に優先順位が設定されていることを特徴とする請求項１６に記載の通信端末。
【請求項１８】
上記優先順位テーブルには、携帯電話機での通話・発着信履歴を示す情報が格納され、通話頻度・発着信回数の多い順に優先順位が設定されていることを特徴とする請求項１６に記載の通信端末。
【請求項１９】
上記優先順位テーブルに格納される情報は書き換え可能であることを特徴とする請求項１６に記載の通信端末。
【請求項２０】
上記履歴データは、
上記一般公衆網を使用した通信で生じるデータが含まれていることを特徴とする請求項９〜１９の何れか１項に記載の通信端末。
【請求項２１】
一般公衆網と接続可能な携帯電話機としての機能を有することを特徴とする請求項８〜２０の何れか１項に記載の通信端末。
【請求項２２】
マナーモード機能を備えているとき、
上記第２通信制御手段は、マナーモードが設定されている状態で、予め設定された設定時刻以降に所定の動作が行われたとき、マナーモードを解除することを特徴とする請求項８〜２１に記載の通信端末。
【請求項２３】
請求項１〜７の何れか１項に記載の携帯電話機を親機、請求項８〜２２の何れか１項に記載の通信端末を子機としたことを特徴とする親子電話システム。
【請求項２４】
上記子機が上記親機を介した通信によって得たデータにデジタル著作権管理(Digital Rights Management, DRM)情報が含まれている場合、
上記デジタル著作権管理情報を、上記子機または親機の何れか一方に記憶させることを特徴とする請求項２３に記載の親子電話システム。
【請求項２５】
上記親子電話システムを構成する子機及び親機のうち、一般公衆網を使用して通信を行っている子機及び親機を他の子機または親機に報知する報知手段を備えていることを特徴とする請求項２３または２４に記載の親子電話システム。
【請求項２６】
請求項７に記載の携帯電話機を親機、請求項２２に記載の通信端末を子機とした親子電話システムであって、
上記子機は、通信先として選択するための選択テーブルに、選択した親機とマナーモードの連携を行うか否かの設定項目を設けたことを特徴とする親子電話システム。
【請求項２７】
コンピュータを、請求項１〜７の何れか１項に記載の携帯電話機の履歴データ生成手段および第１通信制御手段として機能させるプログラム。
【請求項２８】
請求項２７に記載のプログラムを記録したコンピュータ読み取り可能な記録媒体。
【請求項２９】
コンピュータを、請求項８〜２２の何れか１項に記載の通信端末の通信制御データ生成手段および第２通信制御手段として機能させるプログラム。
【請求項３０】
請求項２９に記載のプログラムを記録したコンピュータ読み取り可能な記録媒体。
【発明の詳細な説明】
【技術分野】
【０００１】
本発明は、携帯通信端末を用いた親子電話システムに関するものである。
【背景技術】
【０００２】
一般的な親子電話システムでは、一般公衆網に接続可能な親機と、この親機にワイヤレス通信可能な子機とで構成されている。
【０００３】
このような親子電話システムにおいて、履歴情報を管理するための技術として、例えば、特許文献１には、履歴情報を親機、子機の何れか一つの端末で集中管理する技術が開示されている。例えば、子機が履歴情報を管理している場合、親機は、子機に対して履歴情報の閲覧を要求すれば、当該親機により履歴情報を確認することができる。
【特許文献１】特開２００５−３１１６０９（２００５年１１月４日公開）
【発明の開示】
【発明が解決しようとする課題】
【０００４】
ところで、特許文献１に開示された技術では、親機が固定電話機であり、親機と子機との関係が屋内で通信可能な範囲に配置される関係にあるので、親機、子機の何れか一つの端末で履歴情報を集中管理しても特に問題は生じない。
【０００５】
しかしながら、親機が携帯電話機であり、且つ、子機側で履歴情報を集中管理を行うようにしている場合、親機を子機との通信圏外に持ち出せば、履歴情報を確認するために、履歴情報を管理している子機に閲覧要求することができないという問題が生じる。
【０００６】
本発明は、上記の問題点に鑑みてなされたものであり、その目的は、親機を携帯電話機とした場合の親子電話システムにおける操作性の向上を図ることにある。
【課題を解決するための手段】
【０００７】
本発明に係る携帯電話機は、上記課題を解決するために、一般公衆網を使用して他の通信機と通信を行うための第１通信部と、上記第１通信部を用いた通信に関する履歴を示す履歴データを生成し、生成した履歴データを履歴データ記憶部に記憶させる履歴データ生成手段と、上記一般公衆網を使用した通信方式とは異なる通信方式を使用して通信端末との通信を行うための第２通信部と、上記第２通信部と上記通信端末との通信が確立された状態で、該通信端末から送信された通信制御データに基づいて、上記第１通信部に一般公衆網を使用した通信を実行させる第１通信部制御手段とを備えていることを特徴としている。
【０００８】
上記の構成によれば、第１通信制御手段は、第２通信部と通信端末との通信が確立された状態で、該通信端末から送信された通信制御データに基づいて、上記第１通信部に一般公衆網を使用した通信を実行させることで、携帯電話機と第２通信部によって通信が確立されている通信端末は、携帯電話機の第１通信部による一般公衆網を使用した他の通信機との間で通信を行うことができる。
【０００９】
しかも、履歴データ生成手段は、第１通信部を用いた通信に関する履歴を示す履歴データを生成し、生成した履歴データを履歴データ記憶部に記憶させるようになるので、第１通信部を用いた携帯電話機による通信の全ての通信に関する履歴の履歴データが記憶されることになる。つまり、携帯電話機自身が行った通信に関する履歴の履歴データはもちろんのこと、携帯電話機の第２通信部を介して第１通信部を用いた通信に関する履歴の履歴データも記憶されることになる。
【００１０】
これにより、携帯電話機において、第２通信部によって通信可能な他の通信端末の通信に関する履歴を確認できる。このとき、例えば携帯電話機を親機、通信端末を子機とした場合、親機側で、子機の通信の履歴を確認できることになる。
【００１１】
よって、ユーザが常に親機により履歴情報を確認することができるので、親機を携帯電話機とした場合の親子電話システムにおける操作性の向上を図ることができる。
【００１２】
上記第１通信制御手段は、上記第２通信部と通信端末との通信が確立された状態で、該通信端末から送信された通信制御データに基づいて、上記第１通信部に一般公衆網を使用した通信を実行させているときに、上記履歴データ生成手段によって生成された履歴データを当該通信端末に送信するように上記第２通信部を制御するようにしてもよい。
【００１３】
この場合、通信端末（子機）の履歴データを、当該子機側でも確認できる。
【００１４】
上記第１通信制御手段は、上記第２通信部と通信が確立された通信端末から該通信端末の通信の履歴データを、当該通信端末を識別する識別データと関連付けて取得し、上記履歴データ記憶部に記憶させ、取得した情報を通知する手段を持つようにしてもよい。
【００１５】
この場合、携帯電話機（親機）側で、それぞれの子機の履歴データを確認できる。
【００１６】
上記第１通信制御手段は、上記履歴データ記憶部に記憶された履歴データを、上記識別データに基づいて分類するようにしてもよい。
【００１７】
この場合、携帯電話機（親機）側で、それぞれの子機の履歴データを分類して確認できる。
【００１８】
上記第１通信制御手段は、上記履歴データ記憶部に記憶された履歴データに含まれる接続先情報を用いて、上記第１通信部に、上記一般公衆網を使用して通信機との通信を行わせるようにしてもよい。
【００１９】
この場合、携帯電話機（親機）側で、子機の履歴データを利用した通信を行うことができる。
【００２０】
上記第１通信部によって上記履歴データ及び該履歴データと関連付ける識別データを取得したことを報知する報知手段をさらに備えていてもよい。
【００２１】
この場合、携帯電話機（親機）が子機の履歴データを取得したことをユーザに知らせることができる。
【００２２】
マナーモード機能を備えているとき、上記第１通信制御手段は、マナーモードが設定されている状態で、予め設定された設定時刻以降に所定の動作が行われたとき、マナーモードを解除するようにしてもよい。
【００２３】
上記の構成によれば、予め設定された設定時刻以降に所定の動作が行われた場合には、マナーモードを解除することができる。ここで、「所定の動作」は、例えば、アラームの鳴動でもよいし、外部からメール等によって特定のデータや信号の受信であってもよい。なお、アラームの場合、予め設定されたアラームの鳴動開始時刻を上記「設定時刻」とすることができる。
【００２４】
よって、時刻と動作との２つの条件が満たされた後では、マナーモードを解除した状態で着信等の報知を行うことができる。例えば、アラームを検知することによってマナーモードを解除した後、外部からの着信を通常どおりに（あるいは、調整された音量で）、ユーザに報知することができる。したがって、ユーザがマナーモードに設定して就寝した後、アラームに気づかず寝過ごしてしまった場合でも、知人などが電話連絡して確実に起こすことができる。また、アラーム後はマナーモードが解除されるので、寝過ごした場合に電話連絡を受ける予定の知人などの電話番号を予め登録しておく必要がない。すなわち、電話連絡をする電話機が制限されない。
【００２５】
本発明の通信端末は、上記の課題を解決するために、携帯電話機と、一般公衆網を使用した通信方式以外の通信方式で通信を行うための第３通信部と、上記一般公衆網を使用して通信機と通信を行わせるための通信制御データを生成する通信制御データ生成手段と、上記第３通信部と上記携帯電話機との通信が確立された状態で、該携帯電話機に対して、上記通信制御データ生成手段によって生成された通信制御データを上記第３通信部によって送信させる第２通信制御手段とを有することを特徴としている。
【００２６】
この場合、通信端末（子機）が、携帯電話機（親機）を利用した通信を可能とする。
【００２７】
上記通信制御データに基づいて、上記一般公衆網を使用して通信機と通信を行った携帯電話機が作成した通信の履歴を示す履歴データを上記第３通信部を介して取得し、履歴データ記憶部に記憶させる履歴データ取得手段をさらに備えていてもよい。
【００２８】
この場合、通信端末（子機）が、携帯電話機（親機）を利用して外部と通信したときの履歴を取得することができる。
【００２９】
上記第２通信制御手段は、上記履歴データ取得手段によって取得された履歴データを、携帯電話機に対して、当該通信端末を識別する識別データを含めて送信するように、上記第３通信部を制御するようにしてもよい。
【００３０】
この場合、取得した履歴データを送信先の携帯電話機に送信できる。
【００３１】
上記履歴データ及び識別データの送信先である携帯電話機を選択するための選択手段を備え、上記第２通信制御手段は、上記選択手段によって選択された携帯電話機に対して、上記履歴データ及び識別データを送信するように、上記第３通信部を制御するようにしてもよい。
【００３２】
この場合、取得した履歴データの送信先（携帯電話機）を通信端末側で選択できる。
【００３３】
送信先の携帯電話毎にパスワードが設定されおり、上記第２通信制御手段は、上記第３通信部によって、履歴データ及び識別データを送信する際に、上記選択手段によって選択された携帯電話機に対するパスワードの入力を要求し、入力されたパスワードに対応する携帯電話機に対応して、上記履歴データ及び識別データを上記第３通信部によって送信させるようにしてもよい。
【００３４】
このように、パスワードを用いることにより、ユーザが意図しない携帯電話機に履歴データが送信されるのを防ぐことができる。
【００３５】
送信先の携帯電話機毎に特定の番号が付与されており、上記第２通信制御手段は、上記第３通信部によって、履歴データ及び識別データを送信する際に、上記特定の番号の入力を要求し、入力された特定の番号に対応する携帯電話機に対して、上記履歴データ取得手段によって取得された履歴データを送信するように、上記第３通信部を制御するようにしてもよい。
【００３６】
この場合、ユーザが送信先の携帯電話機を選択できる。特定の番号がキャリア毎に設定されていれば、特定のキャリア回線の親機を選択できる。
【００３７】
上記第３通信部と通信を確立する通信先の携帯電話機を選択するための通信先選択手段を備え、上記通信制御データ生成手段は、上記通信先選択手段によって選択された携帯電話機が上記一般公衆網を使用して通信機と通信を行うための通信制御データを生成するようにしてもよい。
【００３８】
この場合、ユーザが選択した携帯電話機（親機）を使用して通信が可能となる。
【００３９】
上記第２通信制御手段は、上記第３通信部と、予め設定された携帯電話機との通信を確立させるようにしてもよい。
【００４０】
この場合、通信端末からの発信の際に使用する親機（携帯電話機）が予め設定されている。
【００４１】
選択可能な携帯電話機に対して、選択の優先順位が付与された優先順位テーブルを備え、上記第２通信制御手段は、上記第３通信部と、上記優先順位テーブルに従って選択された携帯電話機との通信を確立させるようにしてもよい。
【００４２】
この場合、通信端末からの発信の際に使用する親機（携帯電話機）が優先順位テーブルに従って選択されるので、効率よく親機を選択することができる。
【００４３】
上記優先順位テーブルには、携帯電話機の料金体系を示す情報が格納され、料金の安い順に優先順位が設定されていてもよい。
【００４４】
上記優先順位テーブルには、携帯電話機での通話・発着信履歴を示す情報が格納され、通話頻度・発着信回数の多い順に優先順位が設定されていてもよい。
【００４５】
上記優先順位テーブルに格納される情報は書き換え可能であることを特徴とする請求項１５に記載の通信端末。
【００４６】
この場合、ユーザが情報を書き換えることが可能となるので、ユーザによる使用の自由度が高くなる。
【００４７】
上記履歴データは、上記一般公衆網を使用した通信で生じるデータが含まれていてもよい。
【００４８】
一般公衆網を使用した通信で生じるデータとしては、例えば、お気に入りリストやURLのアドレス、URL閲覧履歴などである。
【００４９】
一般公衆網と接続可能な携帯電話機としての機能を有してもよい。
【００５０】
この場合、通信端末において、携帯電話機としての各種機能を使用することができる。
【００５１】
マナーモード機能を備えているとき、上記第１通信制御手段は、マナーモードが設定されている状態で、予め設定された設定時刻以降に所定の動作が行われたとき、マナーモードを解除するようにしてもよい。
【００５２】
上記の構成によれば、予め設定された設定時刻以降に所定の動作が行われた場合には、マナーモードを解除することができる。ここで、「所定の動作」は、例えば、アラームの鳴動でもよいし、外部からメール等によって特定のデータや信号の受信であってもよい。なお、アラームの場合、予め設定されたアラームの鳴動開始時刻を上記「設定時刻」とすることができる。
【００５３】
よって、時刻と動作との２つの条件が満たされた後では、マナーモードを解除した状態で着信等の報知を行うことができる。例えば、アラームを検知することによってマナーモードを解除した後、外部からの着信を通常どおりに（あるいは、調整された音量で）、ユーザに報知することができる。したがって、ユーザがマナーモードに設定して就寝した後、アラームに気づかず寝過ごしてしまった場合でも、知人などが電話連絡して確実に起こすことができる。また、アラーム後はマナーモードが解除されるので、寝過ごした場合に電話連絡を受ける予定の知人などの電話番号を予め登録しておく必要がない。すなわち、電話連絡をする電話機が制限されない。
【００５４】
本発明の親子電話システムは、上記構成の携帯電話機を親機、上記構成の通信端末を子機としたことを特徴としている。
【００５５】
上記子機が上記親機を介した通信によって得たデータにデジタル著作権管理(Digital Rights Management, DRM)情報が含まれている場合、上記デジタル著作権管理情報を、上記子機または親機の何れか一方に記憶させるようにしてもよい。
【００５６】
上記親子電話システムを構成する子機及び親機のうち、一般公衆網を使用して通信を行っている子機及び親機を他の子機または親機に報知する報知手段を備えていてもよい。
【発明の効果】
【００５７】
本発明に係る携帯電話機は、以上のように、一般公衆網を使用して他の通信機と通信を行うための第１通信部と、上記第１通信部を用いた通信に関する履歴を示す履歴データを生成し、生成した履歴データを履歴データ記憶部に記憶させる履歴データ生成手段と、上記一般公衆網を使用した通信方式とは異なる通信方式を使用して通信端末との通信を行うための第２通信部と、上記第２通信部と上記通信端末との通信が確立された状態で、該通信端末から送信された通信制御データに基づいて、上記第１通信部に一般公衆網を使用した通信を実行させる通信部制御手段とを備えていることで、該携帯電話機を親機とした場合に、ユーザが常に親機により履歴情報を確認することができるので、親機を携帯電話機とした場合の親子電話システムにおける操作性の向上を図ることができるという効果を奏する。
【発明を実施するための最良の形態】
【００５８】
図１は、本実施の形態にかかる親子電話システムの概略を示す図である。
【００５９】
本実施の形態にかかる親子電話システム１は、図１に示すように、携帯端末からなる複数の親機１００と、携帯端末からなる複数の子機２００とからなり、子機２００は、複数の親機１００の中から一つの親機１００を選択し、選択した親機１００を介して一般公衆網３００に接続して他の通信機４００と通信（通話、メール、Web閲覧など）を行うシステムである。
【００６０】
上記親機１００と上記一般公衆網３００との間は、一般的な公衆網用の通信方式により通信が行われているが、上記親機１００と子機２００との間は、上記の通信方式とは異なる通信方式により通信が行われている。
【００６１】
例えば、親機１００と一般公衆網３００との間で、Ｗ−ＣＤＭＡ方式による通信を行うとき、親機１００と子機２００との間で、Wireless LAN（シリアル転送、IP通信含む）やBluetooth,省電力無線などの技術を使ってデータ通信を行う。また、親機１００と一般公衆網３００との間では、Ｗ−ＣＤＭＡ方式以外に、一般的な無線公衆網に繋がる通信方式であてばどのような通信方式であってもよい。
【００６２】
まず、親機１００について説明する。
【００６３】
上記親機１００は、携帯電話機としての機能を有する他に、上述した子機２００との通信に関する機能を有する携帯端末からなる。
【００６４】
図３は、上記親機１００の一構成例を示すブロック図である。
【００６５】
図３に示すように、親機１００は、第１通信部１０１、第２通信部１０２、主制御部１０３、メモリ１０４、プログラムメモリ１０５、操作部（操作取得手段）１０６、マイク１０７、スピーカ１０８、音声処理部１０９、主表示部１１０、副表示部１１１、振動モータ１１２、電池１１３、電源制御部１１４、接続状況判断部１１５を備えて構成されている。
【００６６】
上記第１通信部１０１は、一般公衆網３００との通信を行うための通信回路である。
【００６７】
上記第２通信部１０２は、子機２００との通信を行うための通信回路である。
【００６８】
主制御部１０３は、ＣＰＵ（central processing unit）等の演算装置を備え、親機１００の全体の制御を行う。主制御部１０３は、通信回路の制御を行う機能、通信履歴データの生成を行う機能、通信履歴データを取得する機能、ユーザに対して報知を行う機能を実行するようになっている。詳細については、後述する。
【００６９】
メモリ１０４は、主制御部１０３が各種の機能を実行するために用いるデータを格納するメモリである。メモリ１０４には、例えば、電話番号プリセット、電話帳、メッセージプリセット、住所データ、メール履歴、電話履歴、位置情報、行動履歴、地図情報などのデータが格納される。本実施の形態では、メモリ１０４には、特に、本親機１００と通信可能な子機２００における通信履歴を示す履歴データを記憶する履歴データ記憶部１０４Ａ、報知用のデータの関連情報を示す報知用テーブル１０４Ｂが格納されている。
【００７０】
また、上記メモリ１０４とは異なり、上記プログラムメモリ１０５は、主制御部１０３が実行する機能を規定したプログラムを格納するメモリである。
【００７１】
上記操作部１０６は、親機１００のユーザが操作するためのボタンやダイヤル等であり、タッチパネルを用いてＧＵＩ（Graphical User Interface）によって実現されてもよい。
【００７２】
マイク１０７は、例えば携帯電話をかける際に、親機１００のユーザが声を入力するためのマイクである。
【００７３】
スピーカ１０８は、親機１００のユーザに対して音声を出力するためのスピーカである。例えば、スピーカ１０８からは、携帯電話が着信したときの着信音や携帯電話の相手の声、アラームの報知音などが出力される。
【００７４】
音声処理部１０９は、マイク１０７およびスピーカ１０８を制御して音声の入出力を行う回路である。
【００７５】
主表示部１１０は、親機１００のユーザに画像を表示するための表示部であり、例えば液晶パネルによって実現できる。
【００７６】
副表示部１１１は、主表示部１１０に対して補助的な表示部であり、例えばＬＥＤ（light emitting diode）によるインジケータ等を含む。
【００７７】
振動モータ１１２は、親機１００のユーザに情報を振動として提示するための振動源である。振動モータ１１２によって、例えば、マナーモードの時の携帯電話の着信を報知する。
【００７８】
電池１１３は、親機１００の各部に電力を供給する電池である。電源制御部１１４は、電池１１３による電力供給を制御する回路である。なお、電池１１３は、親機１００が図示しない充電器によって充電できるようになっていてもよい。
【００７９】
接続状況判断部１１５は、第２通信部１０２によって子機２００との通信が確立されているか否かを判断するための回路である。
【００８０】
さらに、親機１００は、主カメラ１１６、副カメラ１１７、ＧＰＳ処理部１１８、ＲＦＩＤリーダ１１９、Ｉｒ送信部１２０、Ｉｒ受信部１２１を備えている。なお、親機１００が備える、これらの機能は任意に選択可能であって、例えば、ワンセグの受信回路をさらに備えていてもよい。
【００８１】
主カメラ１１６は、静止画または動画を撮像するためのカメラである。
【００８２】
副カメラ１１７は、主カメラ１１６に対して補助的なカメラであり、例えば親機１００のユーザの顔を撮像するためのカメラである。
【００８３】
ＧＰＳ処理部１１８は、ＧＰＳ（Global Positioning System）の受信機であり、親機１００の現在位置を検知する回路である。
【００８４】
ＲＦＩＤリーダ１１９は、ＲＦＩＤタグから情報を読み取る回路である。
【００８５】
Ｉｒ送信部１２０およびＩｒ受信部１２１は、外部装置などと赤外線通信を行うための送信回路および受信回路である。なお、赤外線通信の規格は特に限定されるものではないが、例えばIrSimpleが利用できる。
【００８６】
次に、親機１００において、上述した主制御部１０３が実行する各種機能について図２に示すブロック図を参照しながら以下に説明する。
【００８７】
親機１００は、図２に示すように、上記一般公衆網３００を使用して他の通信機４００と通信を行うための第１通信部１０１と、上記第１通信部１０１と通信機４００との間の通信方式とは異なる通信方式を使用して通信端末である子機２００との通信を行うための第２通信部１０２と、各部を制御するための主制御部１０３とを有している。
【００８８】
上記主制御部１０３は、第１通信部１０１及び第２通信部１０２における通信の制御を行う第１通信制御部１１、上記第１通信部１０１を用いた通信に関する履歴を示す履歴データを生成し、生成した履歴データを履歴データ記憶部１０４Ａに記憶させる履歴データ生成部１２を有している。
【００８９】
上記第１通信制御部１１は、上記第２通信部１０２と子機２００との通信が確立された状態で、該子機２００から送信された通信制御データに基づいて、上記第１通信部１０１に一般公衆網３００を使用した通信を実行させるようになっている。
【００９０】
上記主制御部１０３は、さらに、履歴データ取得部１３、報知部１４を備えている。
【００９１】
上記履歴データ取得部１３は、上記第２通信部１０２と通信が確立された子機２００から該子機２００の通信の履歴データを、当該子機２００を識別する識別データと関連付けて取得するようになっている。
【００９２】
上記報知部１４は、上記履歴データ及び該履歴データと関連付ける識別データを取得したことを親機１００のユーザに報知するようになっている。
【００９３】
これらの履歴データ取得部１３、報知部１４は、上記の第１通信制御部１１によって制御されている。
【００９４】
すなわち、上記第１通信制御部１１は、上記第２通信部１０２と通信が確立された子機２００から該子機２００の通信の履歴データを、当該子機２００を識別する識別データと関連付けて、上記履歴データ取得部１３によって取得させると共に、上記履歴データ記憶部１０４Ａに記憶させ、取得した情報（識別データが関連付けられた履歴データ）を報知部１４によって親機１００のユーザに通知するようになっている。
【００９５】
通知する手段としては、親機１００の表示画面上にアイコンを表示させる等が考えられる。他の通知方法としては、スピーカ１０８によって音を鳴らしたり、振動モータ１１２により親機１００自体を振動させたりすることが考えられる。
【００９６】
上記第１通信制御部１１は、子機２００から取得した履歴データを上記履歴データ記憶部１０４Ａに記憶させる際に、上記識別データに基づいて分類するようになっている。
【００９７】
上記履歴データ記憶部１０４Ａには、子機毎に作成された履歴テーブルが格納されている。この履歴テーブルには、メールに関する情報（発信、着信、一時保存）、発話、着和、留守メッセージ、ＷＥＢ閲覧履歴、お気に入りリスト、そして、接続先情報などが格納されている。
【００９８】
また、上記第１通信制御部１１は、親機１００のユーザが操作部１０６を操作することで、上記履歴データ記憶部１０４Ａに記憶された履歴データに含まれる接続先情報（メールアドレス、電話番号など）を用いて、上記第１通信部１０１に、上記一般公衆網３００を使用して通信機４００との通信を行わせるようにもなっている。
【００９９】
また、上記構成の親機１００は、図２に示すように、マナーモード処理部１３０を備えている。
【０１００】
上記マナーモード処理部１３０は、一般的な携帯電話機に備えられているマナーモード機能を実現するための回路である。
【０１０１】
本実施の形態にかかる親機１００は、上記マナーモード処理部１３０を利用した以下の処理を可能としている。
【０１０２】
すなわち、上記第１通信制御部１１は、上記マナーモード処理部１３０によってマナーモードが設定されている状態で、予め設定された設定時刻以降に所定の動作が行われたとき、マナーモードを解除するようになっている。
【０１０３】
このようにすれば、予め設定された設定時刻以降に所定の動作が行われた場合には、マナーモードを解除することができる。ここで、「所定の動作」は、例えば、アラームの鳴動でもよいし、外部からメール等によって特定のデータや信号の受信であってもよい。なお、アラームの場合、予め設定されたアラームの鳴動開始時刻を上記「設定時刻」とすることができる。
【０１０４】
よって、時刻と動作との２つの条件が満たされた後では、マナーモードを解除した状態で着信等の報知を行うことができる。例えば、アラームを検知することによってマナーモードを解除した後、外部からの着信を通常どおりに（あるいは、調整された音量で）、ユーザに報知することができる。したがって、ユーザがマナーモードに設定して就寝した後、アラームに気づかず寝過ごしてしまった場合でも、知人などが電話連絡して確実に起こすことができる。また、アラーム後はマナーモードが解除されるので、寝過ごした場合に電話連絡を受ける予定の知人などの電話番号を予め登録しておく必要がない。すなわち、電話連絡をする電話機が制限されない。
【０１０５】
なお、親機１００においてマナーモード処理のトリガーは、子機２００からの通信制御データの入力によるものであってもよい。
【０１０６】
次に、子機２００について説明する。
【０１０７】
本実施の形態では、子機２００として、親機１００と同様に、一般公衆網と接続可能な携帯電話機としての機能を有する通信端末を例に説明する。
【０１０８】
図５は、上記子機２００の一構成例を示すブロック図である。
【０１０９】
図５に示すように、子機２００は、第１通信部２０１、第３通信部２０２、主制御部２０３、メモリ２０４、プログラムメモリ２０５、操作部（操作取得手段）２０６、マイク２０７、スピーカ２０８、音声処理部２０９、主表示部２１０、副表示部２１１、振動モータ２１２、電池２１３、電源制御部２１４、接続状況判断部２１５を備えて構成されている。
【０１１０】
上記第１通信部２０１は、前記の親機１００の第１通信部１０１と同じ、一般公衆網３００との通信を行うための通信回路である。
【０１１１】
上記第３通信部２０２は、親機１００との通信を行うための通信回路である。
【０１１２】
主制御部２０３は、ＣＰＵ（central processing unit）等の演算装置を備え、子機２００の全体の制御を行う。主制御部２０３は、通信回路の制御を行う機能、親機１００の第１通信部で通信を実行させるための通信制御データの生成を行う機能、通信履歴データの生成を行う機能、通信履歴データを取得する機能、ユーザに対して報知を行う機能、親機を選択する機能を実行するようになっている。詳細については、後述する。
【０１１３】
メモリ２０４は、主制御部２０３が各種の機能を実行するために用いるデータを格納するメモリである。メモリ２０４には、例えば、電話番号プリセット、電話帳、メッセージプリセット、住所データ、メール履歴、電話履歴、位置情報、行動履歴、地図情報などのデータが格納される。本実施の形態では、メモリ２０４には、特に、子機２００における通信履歴を示す履歴データを記憶する履歴データ記憶部２０４Ａ、報知用のデータの関連情報を示す報知用テーブル２０４Ｂ、親機を選択するため親機選択テーブル２０４Ｃが格納されている。
【０１１４】
また、上記メモリ２０４とは異なり、上記プログラムメモリ２０５は、主制御部２０３が実行する機能を規定したプログラムを格納するメモリである。
【０１１５】
上記操作部２０６は、子機２００のユーザが操作するためのボタンやダイヤル等であり、タッチパネルを用いてＧＵＩ（Graphical User Interface）によって実現されてもよい。
【０１１６】
マイク２０７は、例えば携帯電話をかける際に、子機２００のユーザが声を入力するためのマイクである。
【０１１７】
スピーカ２０８は、子機２００のユーザに対して音声を出力するためのスピーカである。例えば、スピーカ２０８からは、携帯電話が着信したときの着信音や携帯電話の相手の声、アラームの報知音などが出力される。
【０１１８】
音声処理部２０９は、マイク２０７およびスピーカ２０８を制御して音声の入出力を行う回路である。
【０１１９】
主表示部２１０は、子機２００のユーザに画像を表示するための表示部であり、例えば液晶パネルによって実現できる。
【０１２０】
副表示部２１１は、主表示部２１０に対して補助的な表示部であり、例えばＬＥＤ（light emitting diode）によるインジケータ等を含む。
【０１２１】
振動モータ２１２は、子機２００のユーザに情報を振動として提示するための振動源である。振動モータ２１２によって、例えば、マナーモードの時の携帯電話の着信を報知する。
【０１２２】
電池２１３は、子機２００の各部に電力を供給する電池である。電源制御部２１４は、電池２１３による電力供給を制御する回路である。なお、電池２１３は、図示しない充電器によって充電できるようになっていてもよい。
【０１２３】
接続状況判断部２１５は、前記の親機１００と同様に、第３通信部２０２によって親機１００との通信が確立されているか否かを判断するための回路である。
【０１２４】
さらに、子機２００は、主カメラ２１６、副カメラ２１７、ＧＰＳ処理部２１８、ＲＦＩＤリーダ２１９、Ｉｒ送信部２２０、Ｉｒ受信部２２１を備えている。なお、子機２００が備える、これらの機能は任意に選択可能であって、例えば、ワンセグの受信回路をさらに備えていてもよい。
【０１２５】
主カメラ２１６は、静止画または動画を撮像するためのカメラである。
【０１２６】
副カメラ２１７は、主カメラ２１６に対して補助的なカメラであり、例えば子機２００のユーザの顔を撮像するためのカメラである。
【０１２７】
ＧＰＳ処理部２１８は、ＧＰＳ（Global Positioning System）の受信機であり、子機２００の現在位置を検知する回路である。
【０１２８】
ＲＦＩＤリーダ２１９は、ＲＦＩＤタグから情報を読み取る回路である。
【０１２９】
Ｉｒ送信部２２０およびＩｒ受信部２２１は、外部装置などと赤外線通信を行うための送信回路および受信回路である。なお、赤外線通信の規格は特に限定されるものではないが、例えばIrSimpleが利用できる。
【０１３０】
次に、子機２００において、上述した主制御部２０３が実行する各種機能について図４に示すブロック図を参照しながら以下に説明する。
【０１３１】
子機２００は、図４に示すように、親機１００と同様の通信部として、上記一般公衆網を使用して他の通信機と通信を行うための第１通信部２０１と、上記第１通信部２０１と通信機４００との間の通信方式とは異なる通信方式を使用して親機１００との通信を行うための第３通信部２０２と、各部を制御するための主制御部２０３とを有している。
【０１３２】
上記主制御部２０３は、第１通信部２０１及び第３通信部２０２における通信の制御を行う第２通信制御部２１、上記第１通信部２０１を用いた通信に関する履歴を示す履歴データを生成し、生成した履歴データを履歴データ記憶部２０４Ａに記憶させる履歴データ生成部２２、親機１００に伝送するための通信制御データを生成する通信制御データ生成部２３を有している。
【０１３３】
上記第２通信制御部２１は、上記第３通信部２０２と親機１００との通信が確立された状態で、該親機１００に対して上記通信制御データ生成部２３で生成された通信制御データを送信し、一般公衆網３００を使用した通信を当該親機１００に実行させるようになっている。
【０１３４】
これにより、子機２００は、親機１００を介して一般公衆網３００に接続して、他の通信機４００との通信を行うことが可能となる。
【０１３５】
上記主制御部２０３は、さらに、親機選択部２４、報知部２５を備えている。
【０１３６】
上記親機選択部２４は、ユーザによって選択された親機に対応付けられた通信制御データ生成のための情報を、親機選択テーブル２０４Ｃから取得して、通信制御データ生成部２３に伝えるようになっている。この場合、親機選択部２４は、ユーザが操作した操作部２０６からの操作信号（どの親機を選択したかを示す信号）の入力をトリガーにして、親機選択テーブルから選択された親機に対応付けられた通信制御データ生成のための情報を取得する。
【０１３７】
上記親機選択テーブル２０４Ｃには、親機を選択するための親機呼び出し優先度リストが格納されている。この優先度リストは、ユーザが設定してもよいし、親機毎の使用頻度に応じて設定してもよい。
【０１３８】
上記親機選択テーブル２０４Ｃには、携帯電話機の料金体系を示す情報が格納され、料金の安い順に優先順位が設定されていてもよい。
【０１３９】
また、上記親機選択テーブル２０４Ｃには、携帯電話機での通話・発着信履歴を示す情報が格納され、通話頻度・発着信回数の多い順に優先順位が設定されていてもよい。
【０１４０】
さらに、親機選択テーブル２０４Ｃに格納される情報はユーザによって書き換え可能であってもよい。
【０１４１】
親機選択テーブル２０４Ｃでは、親機を選択する際の優先順位と内容とを対応付けている。例えば、優先順位１位の内容は、手動設定による親機指定、優先順位２位の内容は、発信番号による親機指定、優先順位３位の内容は、着信履歴のある親機を使用、優先順位４位の内容は、前回の発信親機としている。
【０１４２】
そして、上記の何れの内容を選択するかは、親機選択テーブル２０４Ｃの設定１にｏｎ・ｏｆｆの何れかを設定する。つまり、ｏｎが設定された内容は、実行され、ｏｆｆが設定された内容は、実行されない。また、ｏｎが設定された内容については、優先順位に従って順番に実行される。
【０１４３】
さらに、設定２、３においては、設定１でｏｎに設定された内容に対して、必要に応じてさらに詳細な設定を行うための内容が含まれている。
【０１４４】
例えば図７、図８に示すように、優先順位で各内容を並べて、設定１、設定２、設定３の内容によりどの親機を選択するかを予め設定するようにすればよい。
【０１４５】
図７は、ある子機の上記親機選択テーブル２０４Ｃ（手動設定、前回の発信親機ｏｆｆ、発信番号による親機指定ｏｎ（親機指定番号あり）、着信履歴のある親機を使用ｏｎ）を示している。
【０１４６】
図８は、また、他の子機の親機選択テーブル（手動設定ｏｎ、発信番号による親機指定ｏｎ（海外通話の場合親機指定有り）、着信履歴のある親機を使用ｏｆｆ、前回の発信親機ｏｆｆ）を示している。
【０１４７】
また、親機選択テーブルに、子機による発着信の履歴情報をマージするか否かを設定するための項目を設けてもよい。例えば、図７，８に示す親機選択テーブルにおいて、設定４の項目を新たに設けて、ｏｆ／ｏｆｆの設定を行うようにすればよい。この場合、設定４の項目にｏｎの設定を行えば、子機による発着信の履歴情報をマージすることができ、設定４の項目にｏｆｆの設定を行えば、子機による発着信の履歴情報をマージしないようにすることができる。
【０１４８】
上記報知部２５は、ユーザに何がしかの情報を報知するようになっている。報知の仕方については、メモリ２０４の報知用テーブル２０４Ｂに格納されたデータに基づいて行われる。この報知用テーブル２０４Ｂには、例えば親機使用中メッセージを表示するためのアイコンが格納されている。
【０１４９】
報知部２５による報知する手段としては、子機２００の表示画面上にアイコンを表示させる等が考えられる。他の報知方法としては、スピーカ２０８によって音を鳴らしたり、振動モータ２１２により子機２００自体を振動させたりすることが考えられる。
【０１５０】
上記第２通信制御部２１は、親機１００から取得した履歴データを上記履歴データ記憶部２０４Ａに記憶させる際に、上記親機を識別するための識別データに基づいて分類するようになっている。
【０１５１】
上記履歴データ記憶部２０４Ａには、親機毎に作成された履歴テーブルが格納されている。この履歴テーブルには、メールに関する情報（発信、着信、一時保存）、発話、着和、留守メッセージ、ＷＥＢ閲覧履歴、お気に入りリスト、そして、接続先情報などが格納されている。
【０１５２】
上記履歴データ記憶部２０４Ａに履歴データを記憶させる履歴データ生成部２２は、上記通信制御データ生成部２３によって生成された通信制御データに基づいて親機を通じて一般公衆網に接続して通信機と通信を行った当該親機が作成した通信の履歴を示す履歴データを上記第３通信部２０２を介して取得するように上記第２通信制御部２１によって制御されている。
【０１５３】
上記第２通信制御部２１は、上記履歴データ生成部２２によって取得された履歴データ（履歴データ記憶部２０４Ａに記憶されている履歴データ）を、親機に対して、当該子機を識別する識別データを含めて送信するように、上記第３通信部２０２を制御するようになっている。
【０１５４】
上記親機選択部２４によって、上記履歴データ及び識別データの送信先である親機を選択するようにしてもよい。この場合、子機側で選択（自動・手動の何れかによる選択）した親機にのみ当該子機の履歴データ及び識別データを送信することが可能となる。
【０１５５】
また、送信先の親機毎にパスワードが設定されている場合、上記第２通信制御部２１は、上記第３通信部２０２によって、履歴データ及び識別データを送信する際に、上記親機選択部２４によって選択された親機に対するパスワードの入力をユーザに要求し、入力されたパスワードに対応する親機に対応して、上記履歴データ及び識別データを上記第３通信部２０２によって送信させるようにしてもよい。
【０１５６】
このようにパスワードを用いることにより、ユーザが意図しない親機に履歴データ等が送信されるのを防ぐことができる。
【０１５７】
また、送信先の親機毎に特定の番号が付与されている場合、上記第２通信制御部２１は、上記第３通信部２０２によって、履歴データ及び識別データを送信する際に、上記特定の番号の入力をユーザに要求し、入力された特定の番号に対応する携帯電話機に対して、上記履歴データ生成部２２によって取得された履歴データを送信するように、上記第３通信部２０２を制御するようにしてもよい。
【０１５８】
これにより、ユーザが送信先の親機を選択できる。特定の番号がキャリア毎に設定されていれば、特定のキャリア回線の親機を選択できる。
【０１５９】
また、上記通信制御データ生成部２３は、上記親機選択部２４によって選択された親機が一般公衆網を使用して通信機と通信を行うための通信制御データを生成するようにしてもよい。
【０１６０】
これにより、ユーザが選択した親機を使用しての通信が可能となる。
【０１６１】
上記第２通信制御部２１は、上記第３通信部２０２と、予め設定された親機との通信を確立させるようにしてもよい。
【０１６２】
また、上記構成の子機２００は、図４に示すように、マナーモード処理部２３０を備えている。
【０１６３】
上記マナーモード処理部２３０は、一般的な携帯電話機に備えられているマナーモード機能を実現するための回路である。
【０１６４】
本実施の形態にかかる子機２００による上記マナーモード処理部２３０を利用した処理は、上述した親機１００のマナーモード処理と同じであるので、ここでは、説明を省略する。
【０１６５】
子機２００のマナーモード処理は、当該子機２００が選択した親機１００のマナーモードに連動していてもよい。つまり、子機がマナーモードに設定されているときに、親子関係にある親機１００のマナーモードが解除されれば、当該子機２００のマナーモードも解除される。
【０１６６】
上記マナーモードの解除は、子機２００が複数の親機１００と親子間の関係がある場合は、予め決められた優先順位によって設定を反映するようにすればよい。この場合、親機選択テーブルに新たに設定の項目を一つ増やせばよい。
【０１６７】
この場合の設定の項目には、特定の親機に従うか否かを設定するような内容であってもよい。
【０１６８】
また、マナーモードの解除については、どの親機を選択しても、親機のマナーモードの処理に連動しないようにしてもよい。この場合にも、親機呼び出しテーブルに設定の項目を新たに設ければよい。
【０１６９】
例えば、図７，８に示す親機選択テーブルに新たな項目として、設定５を設け、当該設定５にｏｎ／ｏｆｆの設定を行うようにすればよい。このとき、設定５がｏｎに設定されていば、親機の設定を反映するようにでき、また、設定５がｏｆｆに設定されていれば、親機の設定を反映しないようにすることができる。
【０１７０】
続いて、上記構成の親子電話システムの動作説明を行う。ここでは、説明の便宜上、図８に示すように、１台の子機と、複数台の親機とで親子電話システムを構築している場合を例に説明する。
【０１７１】
図８に示す親子電話システムは、キャリアＡ（携帯電話）の親機、キャリアＢ（携帯電話）の親機、キャリアＣ（ＩＰ電話）の親機に対して、１台の子機が必要に応じて親機を選択して、選択した親機を通じて一般公衆網に接続して、キャリアＡの通信相手、キャリアＢの通信相手、キャリアＸ（海外）の通信相手の何れかと通話を行うようになっている。
【０１７２】
ここで、子機は、前述した図５に示す親機選択テーブル２０４Ｃに格納されている親機選択のための情報に基づいて、親機を手動または自動で選択する。この場合の手動選択、自動選択の設定は、図７，８に示す親機選択テーブル２０４Ｃをどのように設定するかによって決まる。
【０１７３】
各子機は、上記のような親機選択テーブル２０４Ｃを備えることで、使用する親機を自動または手動で選択可能とし、さらに、選択した親機に履歴情報をマージするか否か、さらには、マナーモードを連動させるか否かの判断を行っている。
【０１７４】
以下に、子機の発着信後の履歴情報のマージ処理の流れについて、図９に示すフローチャートを参照に以下に説明する。
【０１７５】
まず、子機２００は、発着信を終了する（ステップＳ１）と、履歴情報をマージする親機の選択を行う（ステップＳ２）。このとき親機選択テーブル２０４Ｃに記載された設定内容に沿って、どの親機にマージするかを決定する。
【０１７６】
次に、履歴情報をマージする親機を選択した後、子機２００は、自分が有する履歴情報を選択した親機に送信し、当該親機の発着信履歴を更新する（ステップＳ３）。
【０１７７】
最後に、発着信履歴が更新された親機は、子機による発着信があったことを当該親機の表示画面に表示することをユーザに通知する（ステップＳ４）。
【０１７８】
図９に示すフローをさらに詳細に説明すると、以下のようになる。
【０１７９】
図１０は、子機から発信処理の流を示すフローチャートである。
【０１８０】
子機は、ユーザが発信操作を行うと、まず、親機選択テーブルから親機の選択が自動選択であるか否かを判断する（ステップＳ１１）。
【０１８１】
ここで、子機が、親機の自動選択でないと判断すれば、ユーザに親機を手動で選択させるための親機選択画面を表示する（ステップＳ１２）。
【０１８２】
一方ｍ、子機が、親機の自動選択であると判断すれば、親機選択テーブルに従って親機を選択する（ステップＳ１３）。
【０１８３】
次に、子機は、手動または自動で選択された親機を使用して発信する（ステップＳ１４）。
【０１８４】
続いて、子機は、親機選択テーブルに沿って、親機への履歴マージを禁止しているか否かを判断する（ステップＳ１５）。ここで、親機への履歴マージが禁止されていれば、処理を終了する。
【０１８５】
一方、ステップＳ１５において、親機への履歴マージが禁止されていなければ、履歴をマージする親機を検索する（ステップＳ１６）。ここで、親機の検索とは、通信可能な範囲に履歴マージ用の親機が存在しているか否かを判断することである。
【０１８６】
ステップＳ１６において、履歴マージする親機が見つかれば、つまり、通信可能な範囲に履歴マージする親機が存在すれば履歴マージの実行を行い（ステップＳ１７）、履歴のマージが成功したことを子機・親機とに表示する処理を行い（ステップＳ１８）処理を終了する。
【０１８７】
一方、ステップＳ１６において、履歴マージする親機が見つからなければ、つまり、通信可能な状態に履歴マージする親機が存在しなければ子機に履歴を一時保存する（ステップ１９）。
【０１８８】
そして、検索を中止するか否かを判断する（ステップＳ２０）。ここで、検索を中止するか否かの判断は、タイマーによって設定された時間内に親機が見つかるか否かを判断することで行う。
【０１８９】
ステップＳ２０において、検索中止と判断された場合、すなわち検索後所定時間が経過したと判断された場合、子機に履歴がマージできないことを通知（表示）し（ステップＳ２１）処理を終了する。
【０１９０】
上記の子機による履歴マージの処理の流れについて、さらに、詳細に述べれば以下のようになる。
【０１９１】
図１０は、子機による親機選択の遷移を説明するシーケンス図である。ここでは、実際に外部と通信する親機と、履歴をマージする親機とは異なるもの（親機１、親機２）として説明しているが、同じであってもよい。
【０１９２】
（１）：子機１は、親機選択テーブルを参照して、発信番号や事前に決められたルールより、発信する親機を選択し通信を開始する。この通信は、Ｂｌｕｅｔｏｏｔｈなどによって行われる。
【０１９３】
（２）：親機１（発信端末として機能する親機）は、子機１からの通信制御データに基づいて、当該子機１と一般公衆網の回線と接続を行う。
【０１９４】
（３）：親機１は、子機１が行った発信の履歴を作成する。この発信履歴は、子機１へ転送する。
【０１９５】
（４）：親機１は、子機１からの通信制御データに含まれる情報に従って、当該親機１に履歴を残さない場合には、発信履歴を削除する。
【０１９６】
（５）：子機１は、親機１からの発信履歴を入手し、履歴データを作成する。この履歴データには、発信番号、通話時間、料金に加えて、子機１から親機１を使用した発信であることを示す事も含まれる。
【０１９７】
（６）：子機１は、親機選択テーブルを参照して、事前のルールに従い、履歴をマージする親機を選択・接続する。この場合、履歴をマージする親機が当該子機１との通信範囲に存在しているか否かを所定時間検索し、所定時間内に検索できなければ、履歴をマージすることができないので、子機１に履歴を保存したまま一旦処理を終了する。
【０１９８】
また、親機が検索できれば、検索した親機２と子機１との間で、Ｂｌｕｅｔｏｏｔｈ、Ｉｒ，ＰＬＣなどにより通信を確立させる。この場合、履歴データの送信は、Ｍａｉｌによっても可能である。
【０１９９】
（７）：親機２は、子機１から入手した履歴データをマージする。
【０２００】
（８）：親機２は、マージに成功すれば、マージ成功のメッセージを当該親機２に表示させると共に、子機１へマージ成功のメッセージを送信する。この場合、親機２と子機１との間では、Ｂｌｕｅｔｏｏｔｈ、Ｉｒ，ＰＬＣなどにより通信が確立された状態であるとする。
【０２０１】
（９）：子機１は、親機２で履歴マージされた旨を表示する。なお、事前のルールにより、履歴マージされた旨の表示を禁止している場合には、表示しないようにする。
【０２０２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２０３】
最後に、親機１００の主制御部１０３、子機２００主制御部２０３の各ブロックは、ハードウェアロジックによって構成してもよいし、次のようにＣＰＵを用いてソフトウェアによって実現してもよい。
【０２０４】
すなわち、主制御部１０３．２０３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである主制御部１０３．２０３の制御プログラムのプログラムコード（実行形式プログラム、中間コードプログラム、ソースプログラム）をコンピュータで読み取り可能に記録した記録媒体を、上記主制御部１０３．２０３に供給し、そのコンピュータ（またはＣＰＵやＭＰＵ）が記録媒体に記録されているプログラムコードを読み出し実行することによっても、達成可能である。
【０２０５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０６】
また、主制御部１０３．２０３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、一般公衆網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２０７】
親子電話システムにかきらず、クライアント・サーバ間のデータ送受履歴の確認のための技術についても適用できる。
【図面の簡単な説明】
【０２０８】
【図１】本発明の実施形態を示すものであり、親子電話システムの要部構成を示すブロック図である。
【図２】図１に示す親子電話システムの親機の機能を示すブロック図である。
【図３】図１に示す親子電話システムの親機のハードウエア構成を示すブロック図である。
【図４】図１に示す親子電話システムの子機の機能を示すブロック図である。
【図５】図１に示す親子電話システムの子機のハードウエア構成を示すブロック図である。
【図６】子機が有する親機選択テーブルにおける設定例の一例を示す図である。
【図７】子機が有する親機選択テーブルにおける設定例の他の例を示す図である。
【図８】本実施の形態にかかる親子電話システムの概略構成図である。
【図９】子機の親機選択処理の処理の流れを示すフローチャートである。
【図１０】子機の履歴マージ処理の流れを示すフローチャートである。
【図１１】本発明の親子電話システムにおける親機選択の遷移を示すシーケンス図である。
【符号の説明】
【０２０９】
１１  第１通信制御部
１２  履歴データ生成部
１３  履歴データ取得部
１４  報知部
２１  第２通信制御部
２２  履歴データ生成部
２３  通信制御データ生成部
２４  親機選択部
２５  報知部
１００  親機
１０１  第１通信部
１０２  第２通信部
１０３  主制御部
１０４  メモリ
１０４Ａ  履歴データ記憶部
１０４Ｂ  報知用テーブル
１０５  プログラムメモリ
１０６  操作部
１０７  マイク
１０８  スピーカ
１０９  音声処理部
１１０  主表示部
１１１  副表示部
１１２  振動モータ
１１３  電池
１１４  電源制御部
１１５  接続状況判断部
１１６  主カメラ
１１７  副カメラ
１１８  ＧＰＳ処理部
１１９  ＲＦＩＤリーダ
１２０  Ｉｒ送信部
１２１  Ｉｒ受信部
１３０  マナーモード処理部
２００  子機
２０１  第１通信部
２０２  第３通信部
２０３  主制御部
２０４  メモリ
２０４Ａ  履歴データ記憶部
２０４Ｂ  報知用テーブル
２０４Ｃ  親機選択テーブル
２０５  プログラムメモリ
２０６  操作部
２０７  マイク
２０８  スピーカ
２０９  音声処理部
２１０  主表示部
２１１  副表示部
２１２  振動モータ
２１３  電池
２１４  電源制御部
２１５  接続状況判断部
２１６  主カメラ
２１７  副カメラ
２１８  ＧＰＳ処理部
２１９  ＲＦＩＤリーダ
２２０  Ｉｒ送信部
２２１  Ｉｒ受信部
２３０  マナーモード処理部
３００  一般公衆網
４００  通信機
【図１】
2009089024.tif 000003
【図２】
2009089024.tif 000004
【図３】
2009089024.tif 000005
【図４】
2009089024.tif 000006
【図５】
2009089024.tif 000007
【図６】
2009089024.tif 000008
【図７】
2009089024.tif 000009
【図８】
2009089024.tif 000010
【図９】
2009089024.tif 000011
【図１０】
2009089024.tif 000012
【図１１】
2009089024.tif 000013